【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
第１の周波数でマイクロ波信号を送受信する第１のトランシーバであって、ミッドフィールドカプラを含み、前記ミッドフィールドカプラは、前記第１のトランシーバからの信号を前記ミッドフィールドカプラの表面に平行な無視できない磁場成分を有する信号に変換し、空気中で測定されたときに前記マイクロ波信号の波長内にある組織内の位置に前記変換された信号を集束させる、第１のトランシーバと、
前記ミッドフィールドカプラからの前記信号を受信する電場ベースのアンテナを含み、前記第１のトランシーバとほぼ同じ周波数で信号を送信する第２のトランシーバを備える、少なくとも部分的に埋め込み可能な生体適合性デバイスと
を備えるシステム。
【請求項２】
前記電場ベースのアンテナは、双極子アンテナである、請求項１に記載のシステム。
【請求項３】
前記第１のトランシーバは、前記ミッドフィールドカプラに電気的に結合された位相検出器および位相シフタを備える位相整合ネットワークを備え、前記位相検出器は、前記第２のトランシーバから受信された信号の位相を決定し、前記位相シフタは、前記第２のトランシーバから受信された前記信号の前記決定された位相に基づいて、前記ミッドフィールドカプラに供給される信号の位相を調整する、請求項１又は２に記載のシステム。
【請求項４】
前記位相シフタは、前記第２のトランシーバから受信された前記信号の前記決定された位相によって前記信号の前記位相を調整する、請求項３に記載のシステム。
【請求項５】
前記位相シフタは、前記第２のトランシーバから受信された前記信号の前記位相と一致するように前記信号の前記位相を調整する、請求項３に記載のシステム。
【請求項６】
前記第１のトランシーバは、前記ミッドフィールドカプラに電気的に結合された振幅検出器および可変利得増幅器を備える振幅整合ネットワークを備え、前記振幅検出器は、前記第２のトランシーバから受信された信号の振幅を決定し、前記可変利得増幅器は、前記第２のトランシーバから受信された前記信号の前記振幅に基づいて、前記ミッドフィールドカプラに供給される信号の振幅を調整する、請求項１又は２に記載のシステム。
【請求項７】
前記ミッドフィールドカプラは、２つ以上のポートを含み、
前記振幅検出器は、２つ以上の振幅検出器のうちの１つであり、前記２つ以上の振幅検出器の各々は、前記ミッドフィールドカプラの個々のポートに電気的に結合されており、
前記第１のトランシーバは、無線周波数（ＲＦ）信号を受信し、前記ＲＦ信号を２つ以上の信号に分割および分離して、前記ミッドフィールドカプラの各々のポートに１つの信号を対応させる、電力分配器をさらに備え、
前記可変利得増幅器は、複数の可変利得増幅器のうちの１つであり、各々の可変利得増幅器は、前記ミッドフィールドカプラの個々のポートと前記電力分配器との間に電気的に結合されており、各々の増幅器は、前記電力分配器からの前記２つ以上の信号のうちの１つの信号を受信して、前記信号を利得分だけ増幅し、前記利得は、前記ミッドフィールドカプラの同じ個々に結合された前記振幅検出器によって決定された振幅に基づいて決定される、請求項６に記載のシステム。
【請求項８】
前記複数の増幅器の各々の増幅器の前記利得は、ある量が乗算された前記振幅検出器によって決定された前記振幅である、請求項７に記載のシステム。
【請求項９】
前記量は、
【数１】
2018514366.tif 000001
であり、ここで、Ｐｔｔは、特定の振幅であり、Ｐｉは、前記ミッドフィールドカプラのｉポートの各々について前記振幅検出器において決定された複数の振幅のうちのある振幅である、請求項７又は８に記載のシステム。
【請求項１０】
前記量Ｐｋは、効率指標ηによってさらに除算され、ここで、
【数２】
2018514366.tif 000002
であり、Ｐｉｔは、前記第２のトランシーバから送信された信号の振幅である、請求項９に記載のシステム。
【請求項１１】
前記アンテナは、動物組織の誘電率と前記ミッドフィールドカプラのミッドフィールドプレートが配置された前記ミッドフィールドカプラの基板の誘電率との間の誘電率を有する誘電物質に封入される、請求項１から１０のいずれかに記載のシステム。
【請求項１２】
マイクロ波信号を送受信する無線機と、
前記無線機に電気的に結合されたミッドフィールドカプラであって、前記無線機からの信号を前記ミッドフィールドカプラの表面に平行な無視できない磁場成分を有する信号に変換して、空気中で測定されたときに前記マイクロ波信号の波長内にある組織内の位置に前記信号を集束するミッドフィールドカプラと、
前記ミッドフィールドカプラに電気的に結合された振幅検出器であって、前記ミッドフィールドカプラで受信された信号の振幅を決定する振幅検出器と、
前記無線機と前記ミッドフィールドカプラとの間に電気的に結合された可変利得増幅器であって、前記無線機からの送信信号を前記振幅検出器によって決定された前記振幅に合わせて増幅する可変利得増幅器と
を備える装置。
【請求項１３】
位相検出器および位相シフタを備える位相整合ネットワークをさらに備え、
前記位相シフタおよび前記位相検出器は、前記ミッドフィールドカプラに電気的に結合されており、前記位相検出器は、前記ミッドフィールドカプラで受信された信号の位相を決定し、前記位相シフタは、前記決定された位相に基づいて、前記ミッドフィールドカプラに供給される信号の位相を調整する、請求項１２に記載の装置。
【請求項１４】
前記位相シフタは、前記決定された位相によって前記信号の前記位相を調整する、請求項１３に記載の装置。
【請求項１５】
前記ミッドフィールドカプラは、２つ以上のポートを含み、
前記振幅検出器は、２つ以上の振幅検出器のうちの１つであり、前記２つ以上の振幅検出器の各々は、前記ミッドフィールドカプラの個々のポートに電気的に結合されており、
前記第１のトランシーバは、無線周波数（ＲＦ）信号を受信し、前記ＲＦ信号を２つ以上の信号に分割および分離して、前記ミッドフィールドカプラの各々のポートに１つの信号を対応させる電力分配器をさらに備え、
前記可変利得増幅器は、複数の可変利得増幅器のうちの１つであり、各々の可変利得増幅器は、前記ミッドフィールドカプラの個々のポートと前記電力分配器との間に電気的に結合されており、各々の増幅器は、前記電力分配器からの前記２つ以上の信号のうちの１つの信号を受信して、前記信号を利得分だけ増幅し、前記利得は、前記振幅検出器によって決定された振幅に基づいて決定される、請求項１２から１４のいずれかに記載の装置。
【請求項１６】
前記複数の増幅器の各々の増幅器の前記利得は、ある量が乗算された前記振幅検出器によって決定された前記振幅である、請求項１５に記載の装置。
【請求項１７】
前記量は、
【数３】
2018514366.tif 000003
であり、ここで、Ｐｔｔは、特定の振幅であり、Ｐｉは、前記ミッドフィールドカプラのｉポートの各々について前記振幅検出器において決定された複数の振幅のうちのある振幅であり、また、
【数４】
2018514366.tif 000004
であり、Ｐｉｔは、前記ミッドフィールドカプラに送信された信号の振幅である、請求項１５又は１６に記載の装置。